(57)【要約】【課題】  試薬や検査液を最適に使用して精度の高い蛍光測定が行える蛍光光度計を提供するとともに、携帯に適した蛍光光度計を提供する。【解決手段】  予め検査液９２が収容されている試料容器９１に試料が投入され、試料容器９１が挿入孔４０から挿入されて容器装着部４に装着される。光源１からの励起光がセル部９１２内の液相対象物に照射され、発生した蛍光が検出器３で検出される。試料容器９１の平坦面部９１３にはバーコードより成る液情報コード部９３が設けられており、試料容器９１が装着のためにケーシング５内で移動する際、コードリーダ７により液情報コード部９３が読み取られる。液情報コード部９３は、検査液特定情報等をコード化しており、コードリーダ７の読み取り結果に応じて測定が最適化される。【選択図】  図６
2014071084.tif 000002
【特許請求の範囲】
【請求項１】
内部に予め検査液が収容されている試料容器を使用して液相対象物中の蛍光物質からの蛍光の強度を測定する蛍光光度計であって、
試料容器を装着する容器装着部と、
試料容器内の液相対象物中の蛍光物質を励起して蛍光を放出させることが可能な励起光を放射する光源と、
蛍光物質が放出した蛍光を検出する検出器と、
光源からの励起光を試料容器内の液相対象物に導くとともに液相対象物からの蛍光を検出器に導く光学系とを備えており、
試料容器には、収容している検査液の情報をコード化した液情報コード部が設けられており、
容器装着部は、試料容器が特定の方向に移動することで装着が行われる構造を有しており、
試料容器が装着のために移動する際に当該試料容器の液情報コード部を光学的に読み取るコードリーダが設けられており、
コードリーダは液情報コード部に光照射する発光器と、液情報コード部からの光を受光する受光器とを備えており、発光器は、装着のために試料容器が移動した際、光照射領域が液情報コード部において走査されるよう光照射するものであり、コードリーダは、光照射された液情報コード部の各箇所からの光を受光器が順次捉えることで読み取りを行うものであることを特徴とする蛍光光度計。
【請求項２】
前記液情報コード部はバーコードであり、前記容器装着部は、バーコードの各バーの長さ方向に垂直な方向に前記試料容器が移動することで装着が行われる構造を有していることを特徴とする請求項１記載の蛍光光度計。
【請求項３】
前記容器装着部は、前記試料容器内の液相対象物に励起光が正しく照射でき、且つ液相対象物中の蛍光物質からの蛍光が正しく検出器で検出できる位置である装着位置において前記試料容器を装着するものであり、
前記コードリーダは、前記試料容器が装着位置に位置したことを検知可能なものであることを特徴とする請求項１又は２に記載の蛍光光度計。
【請求項４】
前記検出器における検出結果を利用して試料の同定又は定量を行う演算処理部が設けられており、
前記液情報コード部でコード化されている情報には、前記検査液の内容に関する情報が含まれており、
演算処理部は、前記コードリーダが読み取った前記検査液の内容に関する情報に応じて異なる演算処理をして試料の同定又は定量を行うものであることを特徴とする請求項１乃至３いずれかに記載の蛍光光度計。
【請求項５】
ユーザーに情報を告知する告知部が設けられており、
前記液情報コード部でコード化されている情報には、前記検査液の使用期限に関する情報が含まれており、
前記コードリーダが前記液情報コード部を読み取った際、前記検査液の使用期限が過ぎているかどうか判断する演算処理部が設けられており、
告知部は、使用期限が過ぎていると演算処理部が判断した際、その旨をユーザーに告知するものであることを特徴とする請求項１乃至４いずれかに記載の蛍光光度計。
【請求項６】
前記検出器における検出結果を利用して試料の同定又は定量を行う演算処理部が設けられており、
前記液情報コード部でコード化されている情報には、前記検査液の製造ロットに関する情報が含まれており、
演算処理部は、前記コードリーダが読み取った前記検査液の製造ロットに関する情報に応じて異なる演算処理をして試料の同定又は定量を行うものであることを特徴とする請求項１乃至５いずれかに記載の蛍光光度計。
【請求項７】
前記容器装着部に前記試料容器が装着された際に前記試料容器が前記光学系に対して正しく向くようにする位置合わせ部を備えていることを特徴とする請求項１乃至６いずれかに記載の蛍光光度計。
【請求項８】
前記試料容器は、前記移動の方向に垂直な断面形状において特異部を有しており、前記容器装着部は、この特異部の形状に適合した部位である適合部を持つ断面形状を有しており、前記位置合わせ部はこの適合部であって、適合部に特異部を合わせながら前記試料容器を装着すると当該試料容器は前記光学系に対して正しく向くようになっていることを特徴とする請求項７記載の蛍光光度計。
【請求項９】
前記位置合わせ部は、前記試料容器が装着のために移動する際、当該試料容器が前記コードリーダに対して正しい向きとなるようにするものであることを特徴とする請求項７又は８記載の蛍光光度計。
【請求項１０】
請求項１乃至９いずれかに記載の蛍光光度計の容器装着部に装着されて使用される試料容器を備えた蛍光測定キットであって、試料容器には予め検査液が収容されており、試料容器には、収容している検査液の情報をコード化した液情報コード部が設けられていることを特徴とする蛍光測定キット。
【請求項１１】
請求項２記載の蛍光光度計の容器装着部に装着されて使用される試料容器を備えた蛍光測定キットであって、試料容器には予め検査液が収容されており、試料容器には、収容している検査液の情報をコード化した液情報コード部が設けられており、
試料容器は長尺なものであり、
液情報コード部は試料容器の側面に設けられたバーコードであって、バーコードの各バーの長さ方向は試料容器の幅方向に一致していることを特徴とする蛍光測定キット。
【請求項１２】
請求項３記載の蛍光光度計の容器装着部に装着されて使用される試料容器を備えた蛍光測定キットであって、試料容器には予め検査液が収容されており、試料容器には、当該試料容器が前記装着位置に位置した際に前記コードリーダによって読み取られることが可能な装着検知用識別部が設けられていることを特徴とする蛍光測定キット。
【請求項１３】
請求項７乃至９いずれかに記載の蛍光光度計の容器装着部に装着されて使用される試料容器を備えた蛍光測定キットであって、試料容器には予め検査液が収容されており、試料容器は、前記移動の方向に垂直な断面形状において特異部を有しており、特異部は、前記容器装着部の適合部が適合する形状であることを特徴とする蛍光測定キット。
【発明の詳細な説明】
【技術分野】
【０００１】
本願の発明は、蛍光強度を測定することで試料の同定又は定量などを行う技術に関するものであり、特に検査液を使用して蛍光を測定する技術に関するものである。
【背景技術】
【０００２】
光測定の一分野として、物質が発する蛍光を測定する蛍光測定の技術が知られている。蛍光測定による材料分析（蛍光分析法）は、吸光光度法などに比べて高感度で選択性が高いという特徴があり、試料の同定や定量などを行う際に有効である。
例えば、特許文献１には、液相状態の対象物について次々に蛍光測定を行う連続蛍光分析法が開示されている。また、特許文献２には、フォトダイオードを検出器とする半導体蛍光光度計が開示されている。この蛍光光度計は、発光ダイオードやレーザダイオードといった固体光源を励起光源として用いており、工業用水系などにおける試料のモニタを蛍光測定によって行っている。
また、特許文献３には、蛍光測定を免疫測定に応用した技術が開示されている。ここでは、抗体を蛍光色素により標識し、クエンチングの解消による蛍光強度の変化を指標として液相状態で抗原の濃度を測定したり抗原を可視化したりする技術が開示されている。
【先行技術文献】
【特許文献】
【０００３】
【特許文献１】特開平１０−１９８９２号公報
【特許文献２】特表２００２−５１４３０８号公報
【特許文献３】国際公開ＷＯ２０１１/０６１９４４号公報
【特許文献４】特表２０００−５１０５９２号公報
【発明の概要】
【発明が解決しようとする課題】
【０００４】
このような蛍光測定において、測定に用いられる試薬や検査液は、同定や定量をしようとする目的物質に応じて定められたものを用いる必要がある。例えば、蛍光色素については、蛍光標識する目的物質に応じて専用のものが開発、市販されている。抗原抗体反応を利用して測定する場合も、当然ながら、抗原に応じて抗体が選定され、その抗体を含む検査液が使用される。したがって、試薬や検査液を間違わないよう、測定においては注意する必要がある。
【０００５】
また、試薬や検査液は、化学的に合成されたものであり、安定して機能を果たすには一定の期限（使用期限）があるものが多い。特に、蛍光色素などはタンパク質である場合が多く、使用期限が短い場合が多い。したがって、使用期限を過ぎたものを使用しないように注意する必要もある。
さらには、試薬や検査液については、製造ロット毎の特性のバラツキが生じるのが避けられない。精度の高い蛍光測定のためには、そのような製造ロット毎の特定のバラツキを補償する工夫が必要になる場合もある。尚、本明細書において、試薬とは、蛍光測定に用いられる化学物質の意味であり、検査液とは蛍光測定に用いられる液相材料の意味である。
【０００６】
一方、従来知られた一般的な蛍光光度計は据え置き型の測定器であり、実験室や測定室などに設置されている。同定又は定量などの目的物質を含むと思われる材料（試料）は、外部で採取され、実験室や測定室などに持ち込まれて蛍光測定が行われている。
【０００７】
このような蛍光測定の技術は、近年、新薬や新材料の研究開発、プラントにおけるプロセス監視、環境評価など、様々な分野への応用が検討されている。このように蛍光測定の応用分野が広がっていくと、蛍光測定を実験室や測定室といった特別の部屋で測定するのではなく、他の様々な場所で測定したり、試料が採取される現場で測定して迅速に結果を得たりするニーズが生じてくると予想される。例えば、特許文献１には、メタンフェタミンの定量を免疫反応を利用した蛍光測定によって行う技術が開示されている。この技術は、抗メタンフェタミン抗体の溶液中に試料（メタンフェタミンと疑われる物質）を投入し、投入前と投入後の蛍光強度の変化を測定することで試料のメタンフェタミン濃度を測定する技術である。
【０００８】
メタンフェタミンは代表的な覚醒剤であり、いわゆる禁止薬物である。したがって、メタンフェタミンの検出は、例えば空港の税関における荷物検査や、警察による麻薬取締などで行われる。税関における禁止薬物取締には、いわゆる麻薬犬の活動が広く知られているが、大量の手荷物を隈無く検査するには限界があるし、仮に禁止薬物と疑われる物質が見つかったとしても、最終的に摘発を行って法的措置を取るには、発見された物質を科学的に分析して同定しなければならない。このためには、当該手荷物を一時的に取り置き、発見された物質を検査機関に送るなどの措置を取ることが必要で、通関が一時的に保留にされた状態となる。
【０００９】
禁止薬物の取締を行う現場で迅速に発見物質の同定ができれば、通関を一時的に保留にして旅行者を長時間留め置くような面倒はなく、すぐさま摘発や逮捕が行える。しかしながら、取締の現場で禁止薬物の同定を行うのに使用可能な検査機器は、現在までのところ開発されていない。
原理的には特許文献１に開示されたように免疫反応を利用することで、蛍光強度の測定によるメタンフェタミンの検出は可能である。しかしながら、禁止薬物の取締の現場で行えるようにするには、携帯型の蛍光光度計が必要になってくる。現在までのところ、このような目的で使える携帯型の蛍光光度計は何ら開発されていない。
【００１０】
僅かに公知文献の範囲では、蛍光光度計を開示した特許文献２において、「電源（例えば、バッテリー）が、蛍光光度計の携帯を可能とするように、蛍光光度計に設けられている。」との記載があり、携帯型について示唆がされている。しかしながら、特許文献２において携帯型についての記載はこの部分のみであり、実用的な携帯型蛍光光度計の構造や機能について特許文献２は何ら具体的な教示をしていない。
また、特許文献４は、携帯型の光度計を開示している。しかしながら、この光度計は、励起光を照射して蛍光を測定するものではなく、試料を「反応体又はその他の薬剤」に混合し、その混合物からの化学発光を測定する光度計である。このような励起光を使用しない光度計は、試料からの光が極めて微弱になり易く、外光ノイズの影響を受け易い（このため、特許文献４は特別の光阻止構造を開示している）。
【００１１】
このように、携帯型の蛍光光度計は実用的なものが何ら開発されておらず、公知文献の範囲に限っても、実用的な携帯型蛍光光度計については何ら具体的な教示はされていない。このため、蛍光光度計を携帯型にして実用的なものにしていく際にはどのような課題が存在しているのかも、何ら明らかとなっていない。こういった状況ではあるが、携帯型蛍光光度計として実用的なものが開発できれば、上記禁止薬物の取締に限らず、プラント監視や環境評価など、各種分野で蛍光測定の技術が広く応用できるものと推測される。
【００１２】
本願発明は、このような蛍光測定の各課題を解決するために為されたものであり、試薬や検査液を最適に使用して精度の高い蛍光測定が行える蛍光光度計を提供するとともに、携帯に適した蛍光光度計を提供する意義を有するものである。
【課題を解決するための手段】
【００１３】
上記課題を解決するため、本願の請求項１記載の発明は、内部に予め検査液が収容されている試料容器を使用して液相対象物中の蛍光物質からの蛍光の強度を測定する蛍光光度計であって、
試料容器を装着する容器装着部と、
試料容器内の液相対象物中の蛍光物質を励起して蛍光を放出させることが可能な励起光を放射する光源と、
蛍光物質が放出した蛍光を検出する検出器と、
光源からの励起光を試料容器内の液相対象物に導くとともに液相対象物からの蛍光を検出器に導く光学系とを備えており、
試料容器には、収容している検査液の情報をコード化した液情報コード部が設けられており、
容器装着部は、試料容器が特定の方向に移動することで装着が行われる構造を有しており、
試料容器が装着のために移動する際に当該試料容器の液情報コード部を光学的に読み取るコードリーダが設けられており、
コードリーダは液情報コード部に光照射する発光器と、液情報コード部からの光を受光する受光器とを備えており、発光器は、装着のために試料容器が移動した際、光照射領域が液情報コード部において走査されるよう光照射するものであり、コードリーダは、光照射された液情報コード部の各箇所からの光を受光器が順次捉えることで読み取りを行うものであるという構成を有する。
また、上記課題を解決するため、請求項２記載の発明は、前記請求項１の構成において、前記液情報コード部はバーコードであり、前記容器装着部は、バーコードの各バーの長さ方向に垂直な方向に前記試料容器が移動することで装着が行われる構造を有している。
また、上記課題を解決するため、請求項３記載の発明は、前記請求項１又は２の構成において、前記容器装着部は、前記試料容器内の液相対象物に励起光が正しく照射でき、且つ液相対象物中の蛍光物質からの蛍光が正しく検出器で検出できる位置である装着位置において前記試料容器を装着するものであり、
前記コードリーダは、前記試料容器が装着位置に位置したことを検知可能なものであるという構成を有する。
また、上記課題を解決するため、請求項４記載の発明は、前記請求項１乃至３いずれかの構成において、前記検出器における検出結果を利用して試料の同定又は定量を行う演算処理部が設けられており、
前記液情報コード部でコード化されている情報には、前記検査液の内容に関する情報が含まれており、
演算処理部は、前記コードリーダが読み取った前記検査液の内容に関する情報に応じて異なる演算処理をして試料の同定又は定量を行うものであるという構成を有する。
また、上記課題を解決するため、請求項５記載の発明は、前記請求項１乃至４いずれかの構成において、ユーザーに情報を告知する告知部が設けられており、
前記液情報コード部でコード化されている情報には、前記検査液の使用期限に関する情報が含まれており、
前記コードリーダが前記液情報コード部を読み取った際、前記検査液の使用期限が過ぎているかどうか判断する演算処理部が設けられており、
告知部は、使用期限が過ぎていると演算処理部が判断した際、その旨をユーザーに告知するものであるという構成を有する。
また、上記課題を解決するため、請求項６記載の発明は、前記請求項１乃至５いずれかの構成において、前記検出器における検出結果を利用して試料の同定又は定量を行う演算処理部が設けられており、
前記液情報コード部でコード化されている情報には、前記検査液の製造ロットに関する情報が含まれており、
演算処理部は、前記コードリーダが読み取った前記検査液の製造ロットに関する情報に応じて異なる演算処理をして試料の同定又は定量を行うものであるという構成を有する。
また、上記課題を解決するため、請求項７記載の発明は、前記請求項１乃至６いずれかの構成において、前記容器装着部に前記試料容器が装着された際に前記試料容器が前記光学系に対して正しく向くようにする位置合わせ部を備えているという構成を有する。
また、上記課題を解決するため、請求項８記載の発明は、前記請求項７の構成において、前記試料容器は、前記移動の方向に垂直な断面形状において特異部を有しており、前記容器装着部は、この特異部の形状に適合した部位である適合部を持つ断面形状を有しており、前記位置合わせ部はこの適合部であって、適合部に特異部を合わせながら前記試料容器を装着すると当該試料容器は前記光学系に対して正しく向くようになっているという構成を有する。
また、上記課題を解決するため、請求項９記載の発明は、前記請求項７又は８の構成において、前記位置合わせ部は、前記試料容器が装着のために移動する際、当該試料容器が前記コードリーダに対して正しい向きとなるようにするものであるという構成を有する。
【００１４】
また、上記課題を解決するため、請求項１０記載の発明は、前記請求項１乃至９いずれかに記載の蛍光光度計の容器装着部に装着されて使用される試料容器を備えた蛍光測定キットであって、試料容器には予め検査液が収容されており、試料容器には、収容している検査液の情報をコード化した液情報コード部が設けられているという構成を有する。
また、上記課題を解決するため、請求項１１記載の発明は、前記請求項２記載の蛍光光度計の容器装着部に装着されて使用される試料容器を備えた蛍光測定キットであって、試料容器には予め検査液が収容されており、試料容器には、収容している検査液の情報をコード化した液情報コード部が設けられており、
試料容器は長尺なものであり、
液情報コード部は試料容器の側面に設けられたバーコードであって、バーコードの各バーの長さ方向は試料容器の幅方向に一致しているという構成を有する。
また、上記課題を解決するため、請求項１２記載の発明は、前記請求項３記載の蛍光光度計の容器装着部に装着されて使用される試料容器を備えた蛍光測定キットであって、試料容器には予め検査液が収容されており、試料容器には、当該試料容器が前記装着位置に位置した際に前記コードリーダによって読み取られることが可能な装着検知用識別部が設けられているという構成を有する。
また、上記課題を解決するため、請求項１３記載の発明は、前記請求項７乃至９いずれかに記載の蛍光光度計の容器装着部に装着されて使用される試料容器を備えた蛍光測定キットであって、試料容器には予め検査液が収容されており、試料容器は、前記移動の方向に垂直な断面形状において特異部を有しており、特異部は、前記容器装着部の適合部が適合する形状であるという構成を有する。
【発明の効果】
【００１５】
以下に説明する通り、本願の請求項１又は１０記載の発明によれば、液情報コード部をコードリーダが読み取るので、検査液情報を取得して蛍光測定に利用することができる。このため、間違いのない測定を安定して精度良く行うことができる。
また、請求項２又は１１記載の発明によれば、上記効果に加え、液情報コード部がバーコードであるので、携帯型の蛍光光度計における読み取り構造として適したものとなる。
また、請求項３又は１２記載の発明によれば、上記効果に加え、試料容器が正しい位置に装着されたのを検知してから測定動作を行うことができるので、試料容器が無い状態で測定を行ってしまうミスや、不適正な位置に試料容器を配置した状態で測定を行うことで誤った測定結果を得てしまうミスが防止される。この際、試料容器の検知にコードリーダが兼用されているので、構造の複雑化も防止されている。
また、請求項４記載の発明によれば、上記効果に加え、検査液の内容に関する情報に応じて異なる演算処理をして試料の同定又は定量を行うので、異なる目的物質について一台の蛍光光度計で同定又は定量が行えるようになり、汎用性の高い蛍光光度計となる。
また、請求項５記載の発明によれば、上記効果に加え、使用期限が過ぎている場合、その旨がユーザーに告知されるので、使用期限が過ぎた検査液を誤って使用してしまうミスが無くなる。
また、請求項６記載の発明によれば、上記効果に加え、検査液の製造ロットに応じて異なる演算処理をして試料の同定又は定量が行われるので、製造ロット毎に最適な蛍光測定を行って最適な結果を得ることができる。
また、請求項７記載の発明によれば、上記効果に加え、試料容器が光学系に対して正しく向くようにする位置合わせ部を備えているので、光学系に対する向きが正しくないことによる測定精度の低下が防止される。
また、請求項８記載の発明によれば、試料容器の装着動作の際に自動的に位置合わせがされるようになるので、上記請求項７の効果がより完全となる。
また、請求項９記載の発明によれば、上記効果に加え、位置合わせの動作により、試料容器のコードリーダに対する向きも最適化されるので、コードリーダにおける読み取りエラーが防止される他、そのための構造も簡略化される。
また、請求項１３記載の発明によれば、上記効果７、８又は９の効果をもたらす蛍光測定キットが提供される。
【図面の簡単な説明】
【００１６】
【図１】本願発明の第一の実施形態の蛍光光度計の斜視概略図である。
【図２】図１に示す蛍光光度計の正面断面概略図である。
【図３】第一の実施形態の蛍光光度計に使用される蛍光測定キットの概略図である。
【図４】図３の蛍光測定キットに含まれる試料容器の斜視概略図である。
【図５】第一の実施形態の蛍光光度計のブロック図である。
【図６】図２に示すコードリーダの概略構成及びその動作原理を示した図である。
【図７】第一の実施形態の蛍光光度計における液情報コード部の詳細について示した図である。
【図８】テーブルの一例について示した概略図である。
【図９】メインプログラムの概略を示したフローチャートである。
【図１０】本願発明の第二の実施形態の蛍光光度計及び蛍光測定キットの主要部について示した概略図である。
【発明を実施するための形態】
【００１７】
次に、本願発明を実施するための形態（以下、実施形態）について説明する。
図１は、本願発明の第一の実施形態の蛍光光度計の斜視概略図、図２は図１に示す蛍光光度計の正面断面概略図である。
本実施形態の蛍光光度計は、前述したように様々な場所での蛍光測定を考慮し、携帯型となっている。図１に示すように、本実施形態の蛍光光度計は、全体としては扁平なほぼ直方体の箱状のものである。携帯型であるので、大きさとしては人の手のひらサイズかそれよりも少し大きい程度である。
この蛍光光度計は、図２に示すように、光源１と、光学系２と、検出器３と、容器装着部４などを備えている。光源１や光学系２、検出器３などは、図１に示すような扁平なほぼ直方体状のケーシング５内に収められている。
【００１８】
本実施形態の蛍光光度計は、専用の容器に試料を入れて蛍光を測定するようになっている。以下、この容器を試料容器と呼ぶ。試料容器には、予め検査液が収容されており、蛍光測定キットとして測定者に提供されるようになっている。尚、本明細書において「対象物」とは、蛍光測定を行う対象物の意味である。通常は、試料が検査液に溶かされたものが液相対象物ということになるが、後述するように試料を投入しない状態で検査液の蛍光を測定する場合もあり、この場合は、検査液＝液相対象物ということになる。尚、本明細書において「蛍光」とは一般より広い概念であり、燐光を含む。
【００１９】
図３は、第一の実施形態の蛍光光度計に使用される蛍光測定キットの概略図、図４は図３の蛍光測定キットに含まれる試料容器の斜視概略図である。
蛍光測定キットは、汚損や異物の混入がないよう個装袋９０に試料容器９１を封入したものとなっている。試料容器９１は、図４に示すような縦長の細長い容器である。個装袋９０内は、キットの劣化防止のため、減圧脱気されたり、又は窒素充填されたりする場合がある。
【００２０】
試料容器９１は、本体部９１１と、本体部９１１の下側に設けられたセル部９１２とから成っている。本体部９１１は、長さ方向に垂直な断面形状において特異部を有している。より具体的に説明すると、本体部９１１はほぼ円筒状であり、ほぼ円形の断面形状を有するものの、側面の一部に平坦面の部分（以下、平坦面部）９１３を有する。この平坦面部９１３が、本実施形態では特異部となっている。
図４に示すように、試料容器９１の上端には、試料を入れるための開口９１０が形成されている。開口９１０には、開閉蓋９５が設けられている。セル部９１２には、予め検査液９２が収容されている。蛍光測定の際には、試料がセル部９１２に投入されて検査液９２と混合される。尚、セル部９１２は、断面の大きさが本体部９１１よりも少し小さくなっている。セル部９１２の内部空間の形状は、この実施形態では直方体状となっている。
【００２１】
このような試料容器９１（特にセル部９１２）は、励起光や蛍光を十分に透過する材料で形成されている。具体的には、硼珪酸ガラスや石英、サファイアのようなガラス製、ＰＭＭＡ（アクリル樹脂）、ポリスチレン、ＣＯＣ（環状オレフィン・コポリマー）のような樹脂製のものが試料容器９１として使用される。尚、励起光を照射した際に試料容器９１自体から多くの蛍光が放出されると、液相対象物からの蛍光との見分けが難しくなるので、試料容器９１の材料としては、蛍光の自家発光（自ら放出する蛍光）が少ないものが選定される。
尚、コンタミネーションによる測定精度低下の防止の観点から、試料容器９１は使い捨て（１回限りの測定で使用されるもの）とされることが好ましい。この観点から、試料容器９１の材質としては、ＰＭＭＡのような樹脂製の方がコスト面で好ましい。
【００２２】
一方、図１及び図２に示すように、ケーシング５は、上面部の一部が開閉蓋５１となっている。開閉蓋５１を開くと、図１に示すように、挿入孔４０が露出するようになっている。挿入孔４０は、容器装着部４の上端開口である。容器装着部４は、開閉蓋５１の開閉箇所から下方に延びるようにして、ケーシング５内に配置されている。
図１に示すように、挿入孔４０は、試料容器９１の本体部９１１の断面形状に適合したものとなっており、円弧状の部分と直線状の部分（以下、直線状部）４０１とから成っている。
試料容器９１を蛍光光度計に装着する場合、図１に示すように開閉蓋５１を開け、試料容器９１を挿入孔４０に挿入する。この際、本体部９１１の平坦面部９１３を挿入孔４０の直線状部４０１に合わせた状態にする。この状態で、試料容器９１は、そのまま下方に押し下げられて容器装着部４に装着される。その後、開閉蓋５１は閉じられる。
【００２３】
光源１は、液相対象物中の蛍光物質を励起して蛍光を放出させることができる光（励起光）を放射するものである。本実施形態では、ＬＥＤランプが光源１として使用されている。励起光を含む光を放射するものであれば特に制限なく使用可能であるが、本実施形態では、コスト上の優位性や省消費電力を考慮し、ＬＥＤランプが使用されている。例えば、波長５２５ｎｍの緑色光を放射するＬＥＤが各社から市販されており、レンズを備えた出力２ｍＷ程度のものが好適に採用できる。
【００２４】
光学系２は、光源１からの励起光を試料容器９１のセル部９１２内に導くとともにセル部９１２内の液相対象物からの蛍光を検出器３に導くものである。本実施形態では、光学系２は、光源１からの光を集光する集光レンズ２１と、光路の折り曲げと光の選択を行うためのダイクロイックミラー２２と、光路上に配置されたフィルタ２３，２４等から構成されている。
【００２５】
図２に示すように、ダイクロイックミラー２２は、容器装着部４に装着された試料容器９１のセル部９１２とほぼ同じ高さの位置に配置されている。ダイクロイックミラー２２は、斜め４５°の角度で配置されており、その上方に光源１が配置されている。光源１は、下方に向けて光を放出する姿勢となっている。ダイクロイックミラー２２は、励起光の波長の光を反射し、測定する蛍光の波長の光を透過するものである。
【００２６】
また、ダイクロイックミラー２２を挟んで容器装着部４とは反対側の位置に、検出器３が配置されている。容器装着部４に装着された試料容器９１のセル部９１２と、ダイクロイックミラー２２と、検出器３とは、同じ高さに位置しており、水平な光軸（検出用光軸）上に配置されている。一方、光源１から下方に延びる光軸（励起用光軸）は、ダイクロイックミラー２２により垂直に折り曲げられ、セル部９１２に達している。尚、容器装着部４は、励起光や蛍光を遮らないよう開口を有する。
【００２７】
フィルタとしては、励起光用フィルタ２３と、蛍光用フィルタ２４とが配置されている。励起光用フィルタ２３は、励起光となる波長の光を選択的に透過するものであり、光源１とダイクロイックミラー２２との間の光路上に配置されている。例えば前述したように５２５ｎｍの緑色光が励起光として使用される場合、５１０〜５４５ｎｍ程度の波長域の光を透過し、それ以外の波長域の光を反射するものが励起光用フィルタ２３として使用される。
蛍光用フィルタ２４は、測定する蛍光の波長の光を選択的に透過するものであり、ダイクロイックミラー２２と検出器３との間に配置されている。例えば、蛍光の波長が５５０〜６３０ｎｍの場合、５７０〜６１０ｎｍ程度の波長域の光を透過し、それ以外の波長域の光を反射するものが蛍光用フィルタ２４として使用される。
【００２８】
尚、このように励起光用と蛍光用とでそれぞれにフィルタ２３，２４が用いられているので、ダイクロイックミラー２２ではなく、波長選択性のないハーフミラーを使用しても良い。但し、ハーフミラーの場合には光量が半減するので、ダイクロイックミラー２２の方が有利である。励起光用フィルタ２３と蛍光用フィルタ２４の透過波長位置が前述した例である場合、ダイクロイックミラー２２としては、例えば５７０ｎｍ以上の波長域の光を透過し、５４５ｎｍ以下の波長域の光を反射する特性（４５°入射の場合）のものが使用できる。
【００２９】
また、集光レンズ２１は、光源１からの光を細いビームにしてセル部９１２内の液相対象物に照射するためのものである。光源１としてのＬＥＤランプは、ビームの広がり角が小さいものが好適に使用されるが、それでも小さなセル部９１２に照射するものとしては広がりが大きいので、集光レンズ２１で絞ってから照射するようにしている。集光レンズ２１の開口数ＮＡは、それほど大きいものは必要ではなく、０．５程度で良い。
集光レンズ２１による集光位置（最もビームが細くなる位置）は、セル部９１２の中央である。尚、ビーム径は最も細い位置で０．５〜１．５ｍｍ程度である。尚、集光レンズ２１は、液相対象物中の蛍光物質から発せられた蛍光を集めて検出器３に入射させる目的でも配置されている。
【００３０】
検出器３は、フォトダイオードを使用したものや光電管などの中から適宜選択される。本実施形態では、シリコンフォトダイオードを使用したものが採用されている。
また、図１に示すように、ケーシング５の前面には、光度計の動作状態や測定結果を表示する表示部５２と、幾つかの操作ボタン５３１〜５３６が設けられている。表示部５２としては、液晶ディスプレイが採用でき、タッチパネルが採用されることもあり得る。この他、ケーシング５の側面には、不図示の電源スイッチが設けられている。
【００３１】
次に、実施形態の蛍光光度計の信号処理系について説明する。図５は、第一の実施形態の蛍光光度計のブロック図である。
図２に示すように、ケーシング５内には、制御ボックス６０が設けられている。制御ボックス６０内には、各部の制御や信号処理を行う制御部６が設けられている。制御部６は、図５に示すように、演算処理部としてのプロセッサ６１や、データやプログラムを記憶するためのメモリ６２などを有している。
検出器３は、蛍光を受光する光電変換部（この例ではシリコンフォトダイオード）３１と、光電変換部３１の出力信号を増幅する増幅器３２と、増幅された信号に基づいて蛍光強度の信号として出力する出力回路３３とを含んでいる。出力回路３３は、光度（蛍光強度）を絶対値で表示するための校正回路を必要に応じて含む。
【００３２】
制御部６には、検出器３からの出力の他、各操作ボタン５３１〜５３６からの操作信号や電源スイッチからの信号が入力されるようになっている。また、制御部６には、不図示のインターフェースを介して表示部５２が接続されている。
尚、図２に示すように、ケーシング５内には、電池ケース８が設けられている。電池ケース８には、光源１や検出器３、制御部６などに必要な電圧を供給する電池が装着される。
【００３３】
このような本実施形態の蛍光光度計は、試料容器９１内に予め収容されている検査液９２の情報を取得し、この情報を利用して測定を最適化するようになっている。以下、この点について詳説する。
まず、図４に示すように、蛍光測定キットに含まれる試料容器９１には、収容された検査液９２の情報をコード化した液情報コード部９３が設けられている。本実施形態では、液情報コード部９３は、図４に示すようにバーコードとなっている。液情報コード部９３は、試料容器９１の側面に設けられている。より具体的には、側面のうち平坦面部９１３に液情報コード部９３が設けられている。例えば、バーコードをシールに印刷し、平坦面部９１３に貼り付けることで液情報コード部９３とすることができる。この他、平坦面部９１３にレーザーマーキングすることで液情報コード部９３を形成することも可能である。
【００３４】
一方、蛍光光度計は、このような液情報コード部９３を読み取るコードリーダ７を備えている。液情報コード部９３はバーコードであるので、コードリーダ７はバーコードリーダである。図２に示すように、コードリーダ７は、容器装着部４に取り付けられている。
容器装着部４は、途中の高さの位置に読み取り用開口４１を有している。読み取り用開口４１の縁から斜め上方に突出するようにしてリーダ取付部４２が形成されている。リーダ取付部４２は短い筒状の部位である。コードリーダ７は、このリーダ取付部４２内に嵌め込まれて保持されており、読み取り用開口４１を通して光照射したり受光したりすることが可能となっている。
【００３５】
尚、図２に示すように、読み取り用開口４１及びリーダ取付部４２は、容器装着部４の中央側の側面に形成されている。「中央側」とは、蛍光光度計の中央側ということである。したがって、コードリーダ７も中央側から読み取りを行うようになっている。
図６は、図２に示すコードリーダ７の概略構成及びその動作原理を示した図である。図６の（１）は、コードリーダ７が液情報コード部９３を読み取っている状態を示し、（２）は試料容器９１の装着を検知するセンサとして動作している状態を示している。図６に示すように、コードリーダ７は、液情報コード部９３に光を照射する発光器７１と、液情報コード部９３からの光を受光する受光器７２と、受光器７２からの出力信号を処理してデジタル信号を得る二値化素子７３とを備えている。
【００３６】
前述したように、試料容器９１はケーシング５の挿入孔４０から挿入される。この際、挿入孔４０の直線状部４０１が平坦面部９１３に合わせられるので、挿入の際、平坦面部９１３は中央側を向くことになる。この状態で試料容器９１が押し下げられると、図１及び図２から解るように、液情報コード部９３が読み取り用開口４１の前を通り過ぎる状態となり、その際に、コードリーダ７によって液情報コード部９３が読み取られる。
【００３７】
より具体的に説明すると、本実施形態ではコードリーダ７の位置は固定されており、この位置に対して液情報コード部９３が相対的に移動する。発光器７１は、一定の領域に光照射しており、この光照射領域を液情報コード部９３が通り過ぎることになる。したがって、液情報コード部９３は、下端箇所が光照射領域に達して光照射がされ、移動に伴って順次上側の箇所が光照射される。そして、移動終了時（装着完了時）には、上端箇所までの光照射が終了していることになる。つまり、試料容器９１の移動によって光照射領域が相対的に走査（スキャン）される。
【００３８】
図６（１）に示すように、走査の際、受光器７２には光照射された液情報コード部９３からの光が入射し、その出力を二値化素子７３が処理する。受光器７２に入る光は、バーコードの明暗を反映したものとなり、それに従って二値化素子７３がデジタル信号を出力する。尚、図２に示すように本実施形態のコードリーダ７は斜めから光照射するものであるが、液情報コード部９３の表面で光は拡散又は散乱され、その光が受光器７２で捉えられることになる。受光器７２は、発光器７１からの強い反射光が入射しないようにすることが推奨される場合が多く、本実施形態でもこれを考慮してコードリーダ７を斜めに取り付けている。
このようなコードリーダ７としては、例えば岡谷電機産業（株）製のＲＰＵ８１３Ｔなどを使用することができる。また、発光器７１にレーザー発振器を使用したものでも良く、例えばＨｏｎｅｗｅｌｌ社のＨ０Ａ６４８０などを使用することができる。
【００３９】
また、本実施形態において、コードリーダ７は、試料容器９１の装着完了を検知する容器センサの役割も果たすようになっている。即ち、図６に示すように、液情報コード部９３は、検査液情報をバーコードにした部分に続き、白色の比較的大きな矩形部分（以下、矩形部）９４を有している。矩形部９２は、試料容器９１の装着完了を検知するためにコードリーダ７が読み取る部分（以下、装着検知用識別部）として設けられている。即ち、矩形部９４は、反射率の高い部分であり、試料容器９１が装着位置に正しく位置した際、図６（２）に示すようにコードリーダ７が光を照射して戻り光を受光する位置となっている。
【００４０】
図５に示すように、制御部６は、試料容器９１の装着状態の確認している旨の情報を保持する装着確認部６３を備えている。コードリーダ７が矩形部９４を読み取ることで出力される信号は、装着確認部６３に送られる。装着確認部６３は、情報をソフトウェア的に保持する場合には、装着確認部６３はメモリの特定の記憶領域ということなるが、ハードウェア的に保持しても良く、例えば保持回路やフォトカプラ等によって装着確認がオンであることを保持しても良い。
【００４１】
次に、このような液情報コード部９３でコーディングされている検査液の情報の詳細、及び情報を利用した測定の最適化について説明する。図７は、第一の実施形態の蛍光光度計における液情報コード部９３の詳細について示した図である。
図７には、液情報コード部９３の情報の一例が示されている。より詳しくは、液情報コード部９３に格納する際のフォーマットの一例が示されている。フォーマットとは、液情報コード部９３で情報をコード化する際のルールである。本実施形態では、液情報コード部９３はバーコードであり、バーコードでは、８〜１３桁程度の数字情報がコーディングされるが、例えば１０桁の数字が検査液情報として設定されるとする。この場合、図７に示すように、例えば最初の１桁が検査液特定情報、次の６桁が使用期限情報、次の３桁がロット情報として設定される。
【００４２】
検査液特定情報は、収容されている検査液が何であるかを特定する情報である。検査液特定情報として上記のように１桁分が与えられたとすると、０〜９の数字で特定されるので、１０個の異なる検査液が特定できる。本実施形態の蛍光光度計において例えば４個程度の異なる試料の同定又は定量が可能であり、それぞれに専用の検査液が使用されるとする。それぞれの検査液には、０〜３の検査液ＩＤ（検査液特定情報）が付与されている。コードリーダ７が液情報コード部９３を読み取った際、初の数字が何であるかにより四つのうちのどの検査液が収容されているかを知ることができる。また、検査液特定情報として２桁分を与えれば、００〜９９の各数字を検査液ＩＤとなるので、最大１００個の異なる検査液を特定することができる。
【００４３】
使用期限情報については、最初の２桁が西暦の略記（２０１３年なら１３）であり、その次の２桁が月、その次の２桁が日を意味するようになっている。１３０４２０なら、２０１３年４月２０日が使用期限という意味である。
ロット情報については、幾つかの異なるフォーマットが考えられる。単純な例としては、ロット番号をロット情報とすることが考えられる。別の例として、ロット毎の特性のバラツキを補償する補償用データをロット情報とすることが考えられる。
【００４４】
次に、このような液情報コード部９３の読み取り結果を利用した測定について説明する。
前述したように、本実施形態の蛍光光度計は、試料の同定又は定量を行う測定器であり、試料として何を同定又は定量するかによって使用する検査液は異なってくる。例えば同定を行う場合、検査液としては目的物質にだけ反応するものが使用されることが一般的である。反応の前後で蛍光の強度が変化し、その変化の有無によって試料の同定が行われる。
【００４５】
試料中の目的物質の定量を蛍光測定によって行う場合、検査液として試料を蛍光標識できるものが使用されることが多い。試料中の目的物質のみを蛍光標識できる試薬を用い、その試薬が既知の濃度で含まれている検査液中に試料を溶かして目的物質を蛍光標識し、試料の光度（蛍光の発光強度）を測定する。そして、予め調べられている光度と目的物質の量との関係（以下、較正データと呼ぶ）に対して測定結果を照らし合わせることで、目的物質の量が定められる。
また、目的物質の定量と同定の両方が光度測定から行える場合もある。例えば、検査液との反応の前後における蛍光強度の変化の度合いが目的物質の量に依存しており、そのような反応が当該目的物質についてのみ生じる場合、定量と同定が行えることになる。前述した抗体抗原反応を利用した蛍光測定もこの一例である。
【００４６】
同定であれ定量であれ、結果を得るための参照データが必要である。参照データは、同定であれば、蛍光強度の変化量についての閾値ということになるし、定量であれば較正データということになる。本実施形態において、このような参照データは、制御部６内のメモリ６２に予め記憶される。
一方、一台の蛍光光度計が特定の一種類のみの目的物質についてしか同定又は定量を行えないようにする場合もあるが、汎用性に著しく欠けるため、少なくとも数種類の目的物質について同定又は定量を行えるようにするのが一般的である。この場合、メモリ６２にはそれぞれの目的物質についての参照データが記憶され、選択して利用される。
【００４７】
このような参照データとコードリーダ７による読み取り結果とを利用して測定を行うため、メモリ６２には幾つかのプログラムがインストールされており、プロセッサ６１によって実行可能となっている。プログラムの一つはメインプログラムであり、他のプログラムはメインプログラムから呼び出されて実行されるサブプログラムである。サブプログラムの一つが、測定プログラムである。
【００４８】
検査液情報に従って測定を最適化するには、検査液特定情報に従って何が目的物質であるのかを特定し、それに応じて測定プログラムや参照データを選択する必要がある。このため、メモリ６２には、測定プログラムや参照データの選択のためのテーブル（対応表）が記憶されている。図８は、このテーブルの一例について示した概略図である。
図８に示すように、テーブルは、各検出液ＩＤについて、目的物質の名称、使用する測定プログラムの名称、参照データ等が対応づけられており、データベースとも言えるものである。このようなテーブルが予め作成され、蛍光光度計の出荷の際にメモリ６２に記憶される。尚、参照データがまとまった情報の場合、ファイルに記録され、テーブルにはそのファイル名が登録される場合もある。
【００４９】
図９は、メインプログラムの概略を示したフローチャートである。メインプログラムは、光度計の電源スイッチがオンされると自動で起動する。メインプログラムは、まず、試料容器９１の装着を確認する。通常は試料容器９１が装着されていないので、装着確認部６３の出力信号はオフであり、容器無しの旨の信号が制御部６に入力されている。メインプログラムは、容器無しの信号を確認した後、試料容器９１の装着を促す初期画面を表示部５２に表示する。「試料容器を装着して下さい。」というようなメッセージを表示した画面である。
【００５０】
例外的に、コードリーダ７から容器有りの信号が送られる場合がある。試料容器９１が既に装着されていて、コードリーダ７が矩形部９４を読み取っている場合である。前回の測定で使用した試料容器９１が装着されたままとなっているか、又は試料容器９１を装着した後に電源スイッチをオンしたかである。いずれの場合も、測定に必要な検査液情報が取得できていない状態であるので、メインプログラムは、試料容器９１の装着をし直させる画面を表示する。「試料容器が装着されたままとなっています。試料容器の装着をし直して下さい。」というような画面である。
【００５１】
試料容器９１が挿入孔４０から挿入され、容器装着部４に正しく装着されると、前述したようにその際の移動を利用して液情報コード部９３がコードリーダ７によって読み取られ、検査液情報が制御部６に送られる。制御部６は、メモリ６２の所定の領域に検査液情報を記憶する。また、矩形部９４をコードリーダ７が読み取った状態になり、その信号が装着確認部６３に送られ、装着確認部６３でその情報が保持される。
【００５２】
メインプログラムは、メモリ６２を参照し、検査液情報が取得できたかどうか確認する。取得できていなければ、上記画面（試料容器の装着を促す画面）の表示状態を維持する。また、装着確認部６３を参照し、容器装着が確認されているかどうかチェックする。確認できていなければ、同様に上記画面の表示状態を維持する。
検査液情報が取得でき、試料容器９１の装着が確認されたら、メインプログラムは、検査液情報を処理し、検査液特定情報、使用期限情報、ロット情報をそれぞれ取得する。
【００５３】
次に、メインプログラムは、図８に示すテーブルをメモリ６２から呼び出し、検出液ＩＤに従って当該検出液についての目的物質名を取得する。そして、目的物質名を表示部５２に確認のために表示する。例えば、「試料容器の装着を確認しました。目的物質は○○です。」というような表示である。
【００５４】
次に、メインプログラムは、システム時刻（プロセッサが内部情報として保有しているリアルタイムクロック）を呼び出し、使用期限情報と比較し、使用期限が過ぎていないかどうか判断する。使用期限が過ぎていれば、その旨のエラーメッセージを表示部５２に表示する。使用期限を過ぎている場合の動作は、二通りある。一つは、使用期限が過ぎているので測定精度が低下する恐れがある旨のエラーメッセージを表示部５２に表示しつつ、測定を許容する動作である。もう一つは、使用期限が過ぎている旨を表示部５２に表示し、測定を中止する（結果を出力しない）動作である。図９に示すメインプログラムは、前者の動作を行うものとなっている。具体的には、図９では図示が省略されているが、使用期限を過ぎている旨の表示した際、測定を続行するかどうかを尋ねる画面を表示し、続行ボタンかキャンセルボタンかのいずれかを押させるようにする。そして、この画面で続行ボタンが押された場合、メインプログラムは次のステップに進み、キャンセルボタンが押された場合、測定を行わずにメインプログラムが終了される。
【００５５】
使用期限のチェックの後、メインプログラムは、検査液ＩＤに従ってテーブルを参照し、当該検査液用の参照データを取得するとともに、当該検査液用の測定プログラムの名称を取得し、当該測定プログラムを実行する。この際、メインプログラムは、必要に応じてロット情報を利用する。例えば、ロット情報が検査液のロット毎の特性のバラツキを示す情報であれば、ロット情報に従って参照データを補正し、補正後の参照データに基づいて同定や定量を行う。測定プログラムの実行結果（測定結果）は、表示部５２に表示される。
【００５６】
尚、反応前後の蛍光強度の変化を測定する場合、測定プログラムは、まず、「試料を投入しない状態で測定ボタンを押して下さい。」というようなメッセージを表示する。測定ボタンの押下により光源１が動作し、検出器３が蛍光を捉えて蛍光強度を出力すると、測定プログラムはその値をメモリ変数に格納する。これが完了すると、測定プログラムは、「試料を投入して軽く振った後、もう一度装着してから測定ボタンを押して下さい。」というようなメッセージを表示する。測定ボタンの押下により、同様に検出器３から蛍光強度が出力されると、測定プログラムはその値を別のメモリ変数に格納する。そして、両者の比を取り、その値を参照データ（閾値）と比較する。比較の結果に従い、試料中に目的物質が含まれているかどうか判断し、その結果を測定結果として表示部５２に表示する。
【００５７】
このような構成に係る本実施形態の蛍光光度計の使用方法について、より具体的な例を採り上げて説明する。より具体的な例として、本実施形態の蛍光光度計が、前述したような禁止薬物の取締用として使用されることを想定する。抗原抗体反応を利用し、蛍光強度の変化によって試料に禁止薬物が含まれているか調べる測定である。
例えば、禁止薬物として、コカイン、ヘロイン、覚醒剤、大麻の四つを検出可能な蛍光光度計であるとする。したがって、検査液としては、コカイン用、ヘロイン用、覚醒剤用、大麻用のいずれかが使用されることが予定される。一方、クエンチングの解消により目的物質の同定を行う場合、クエンチングの解消による蛍光強度の増強率の閾値が参照データであり、それぞれ四つの禁止薬物について閾値が参照データとしてメモリ６２に記憶されている。
【００５８】
例えば、税関の検査において荷物に禁止薬物らしい白色の粉が付着していたとする。係員は、検査が必要だと判断し、荷物を一時的に取り置いた上で、粉を採取する。そして、まず、コカイン用の蛍光測定キットを使用し、試料を投入しないで蛍光測定した後、粉の一部を試料容器９１に投入してもう一度蛍光測定を行う。測定の結果、蛍光増強率が閾値を下回り、粉はコカインではないと判断されると、それが表示部５２に表示されるので、次に、ヘロイン用の蛍光測定キットを使用し、同様に測定を行う。そして、同様にヘロインではないとの結果が表示された場合、次に覚醒剤用の蛍光測定キットを使用し、同様に測定を行う。覚醒剤ではないとの結果であったら、さらに大麻用の蛍光測定キットを使用して測定を行う。このように、それぞれ専用の蛍光測定キットを順次使用することで、試料が特定の禁止薬物であるかどうか各々同定することができる。
【００５９】
税関での禁止薬物の取締以外にも、本実施形態の蛍光光度計を用いることができる。例えば、犯罪捜査の現場で禁止薬物を検出したり、犯行現場に残された化学物質を同定して証拠としたりする場合などである。これらの他にも、例えばスポーツ競技において行われるドーピング検査でも、本実施形態の蛍光光度計を使用することができる。この場合、被検者の尿を微量採取して試料とすることがあり得る。
【００６０】
材料の面でより具体的な例を示すと、例えば代表的な覚醒剤として知られるメタンフェタミンについては、動物に免疫して得られた細胞株を培養することによってモノクローナル抗体を抗メタンフェタミン抗体として製造する技術が開示されている（特開平１−９６１９８号公報，特開平５−７４９７号公報，特開平６−２６１７８４号公報等）。また、メタンフェタミンの蛍光標識色素としては、ペンタメチンシアニン誘導体からなるもの（特開平６−６６７２５号公報）やメロシアニン誘導体からなるもの（特開平８−９２２１１号公報）が知られている。
したがって、メタンフェタミン用の検査液としては、適宜選択された抗メタンフェタミン抗体に対して、適宜選択された蛍光標識色素を結合させて標識し、それをＰＢＳ溶液（リン酸バッファ液）に溶かしたものを用いることができる。
【００６１】
本実施形態の蛍光光度計及び蛍光測定キットによれば、試料容器９１に液情報コード部９３が設けられており、コードリーダ７が液情報コード９３を読み取るので、検査液情報を取得して蛍光測定に利用することができる。したがって、間違った検査液を使用しないようにしたり、使用期限を過ぎた検査液を使用しないようにしたり、さらに製造ロットに応じて最適な測定を行うようにしたりすることが可能となる。このため、間違いの無い測定を安定して精度良く行うことができる。
【００６２】
尚、使用期限については、上記説明ではシステム時刻（現在時刻）を利用して使用期限徒過かどうか判断したが、液情報コード部６３から取得されるのは製造年月日と使用期間であり、それら情報から使用期限徒過を判断する構成もあり得る。即ち、システム時刻から製造年月日を引いて経過期間を算出し、取得した使用期間と算出した経過期間とを比較して使用期限徒過かどうか判断する場合もあり得る。
【００６３】
コードリーダ７を蛍光光度計が内蔵しているは、携帯型を考慮して最適化を図ったものである。バーコードのような情報コードは、専用のコードリーダを測定器に対して接続することで読み取るようにすることができる。この場合、専用のコードリーダは、汎用のものを使用することも可能である。このような構成は、実験室に配置されるような大型の据え置き型の測定器の場合には可能であるが、携帯型としては現実的ではない。蛍光光度計とコードリーダの二つを常に携帯しなければならず、そして測定のたびに接続をしなければならず、非常に煩雑となる。本実施形態の蛍光光度計は、コードリーダが内蔵されているので、このような煩雑さとは無縁である。
【００６４】
また、コードリーダ７が、装着のための試料容器９１の移動を利用して読み取りをするものである点は、読み取りのための構造を簡略化させており、携帯型の蛍光高度計として非常に好適なものとなっている。例えばバーコードの読み取りを行う専用のバーコードリーダは、バーコードに一括して光照射し、各バーによる明暗を殆ど同時に読み取るものである。このようなバーコードリーダを光度計に組み込んでも検査液情報の取得は可能であるが、構造が大がかりで複雑になる欠点がある。一方、実施形態の光度計は、装着のための試料容器９１の移動を走査に利用するので、コードリーダ７の構造が極めてシンプルになる。このため、携帯型の蛍光光度計として非常に適したものとなる。
【００６５】
また、液情報コード部９３がバーコードである点は、別の意義を有する。実施形態のような蛍光光度計の場合、試料容器は長尺なものであることが好ましい。これは、長尺な容器の端部に試料を収容する部分（本実施形態ではセル部９１２）を設け、これをケーシング５内の奥深い位置に配置することで外光の影響を極力少なくするためである。試料を収容した部分をケーシング５の付近に配置し、これに励起光を照射する構造であると、外部の光が検出器に紛れ込んだり、外部の光（その強度は環境により変化する）が励起光に紛れ込んだりする。したがって、長尺な試料容器を使用し、ケーシングの奥深い位置を試料の配置位置とすることが望ましい。
試料容器が長尺なものであるということになると、液情報コード部を形成する箇所は幅が狭いものにならざるを得ないので、ＱＲコード（（株）デンソーウェーブの登録商標）のような２次元コードは適さない。非常に小さなものになってしまい、読み取りが難しくなるからである。したがって、１次元のバーコードを用い、各バーの向きが試料容器の幅方向に向くようにすることが、携帯型蛍光光度計用として最適ということになる。
【００６６】
また、本実施形態の蛍光光度計は、正しい位置に試料容器９１が装着されたことが検知可能であり、正しい位置への装着を検知してから測定動作が行われるので、誤って試料容器９１が無い状態で測定を行ってしまうミスや、不適正な位置に試料容器９１を配置した状態で測定を行うことで誤った測定結果を得てしまうミスが防止される。この際、試料容器９１の検知にコードリーダ７が兼用されているので、構造の複雑化も防止されており、この点でも携帯型の蛍光光度計として適したものとなっている。
【００６７】
尚、液情報コード部９３が平坦面部９１３に設けられている点は、シール貼り等の液情報コード部９３の形成作業を容易にする他、コードリーダ７による読み取りをより安定化させる意義がある。液情報コード部９３が曲面に形成されていると、コードリーダ７による読み取りが不安定になる傾向があるが、本実施形態ではこのような問題はない。
また。装着検知用識別部として白色の矩形部９４が設けられたが、黒色の部分であっても良いことは勿論である。装着検知用識別部として白又は黒の部分を設けることは、コードリーダ７を兼用する際の簡易な構成であるが、容器装着検知用に特別のパターンを設け、イメージセンサでこのパターンを読み取ることで容器装着を検知するようにしても良い。
【００６８】
尚、本実施形態の構成において、試料容器９１の平坦面部９１３及び容器装着部４の開口４０の直線状部４０１は、試料容器９１が蛍光光度計の光学系２に対して所定の姿勢となるようにする位置合わせ部として機能している。
精度の高い蛍光測定を行うためには、光学系２に対して試料容器９１が予定された姿勢で配置される必要がある。特に本実施形態では、試料が投入されるセル部９１２は断面方形であり、光学系２の光軸に対してセル部９１２の壁面が垂直になるようにする必要がある。垂直でないと、励起光や発生した蛍光が壁面で多く反射する状態となり、効率の低下や精度の低下をもたらす可能性がある。
【００６９】
本実施形態では、試料容器９１の平坦面部９１３を容器装着部４の開口４０の直線状部４０１に合わせた状態で試料容器９１を挿入すると、セル部９１２の壁面が光学系２の光軸に対して正しく垂直となる。このため、反射光が多くなって効率や精度が低下してしまう問題は生じない。平坦面部を直線状部４０１に合わせないと試料容器９１の挿入ができないので、自動的に位置合わせがされ、問題は完全に防止される。
【００７０】
また、上記説明から解るように、試料容器９１の平坦面部９１３と開口４０の直線状部４０１の適合構造は、試料容器９１が装着のために移動する際、試料容器９１がコードリーダ７に対して正しい向きを向くようにする意義もある。正しい向きとは、液情報コード部９３がコードリーダ７によって正しく読み取られる向きである。即ち、コードリーダ７の読み取りエラーが簡易な構造により防止されている。
尚、位置合わせ部としては、上記のように形状が特異な部分を双方に設けて適合させる構造の他、単に目印を設けるようなシンプルなものであっても良い。例えば試料容器９１の上面と容器装着部の開口４０の縁にそれぞれマークを設け、マークを合わせて装着すると正しい位置となるようにしても良い。
【００７１】
本実施形態において、表示部５２は、目的物質を測定者に知らせたり、使用期限徒過を測定者に知らせたりする告知部として機能している。告知部としては、表示部５２のように視覚により告知する場合の他、音声（メッセージ音）で知らせる手段も採り得る。視覚によるものとしては、エラーランプで知らせるようにする場合もあり得る。
【００７２】
次に、本願発明の第二の実施形態の蛍光光度計について説明する。図１０は、本願発明の第二の実施形態の蛍光光度計及び蛍光測定キットの主要部について示した概略図である。
上記実施形態では、液情報コード部９３はバーコード（一次元コード）であったが、二次元コードであっても実施可能である。第二の実施形態は、この一例となっている。
より具体的に説明すると、第二の実施形態の液情報コード部９３は、縦横それぞれ三つに区画された碁盤の目状のコード部となっており、方形の一つの区画が“０”か“１”かのデジタル情報を担持する部分（以下、ドットと呼ぶ）９５である。
【００７３】
第二の実施形態では、コードリーダ７は、横方向のドット９５の数に合わせて三つの発光器７１と、三つの受光器７２ａ〜７２ｃとを備えている。三つの発光器７１は、水平方向に並んで配置されており、ある行の三つのドット９５が所定の位置に達した際、それぞれのドット９５に光照射するよう設けられている。各受光器７２ａ〜７２ｃは、光照射された一つの行の各ドット９５からの光がそれぞれ入射するよう設けられている。即ち、一番左の受光器７２ａは一番左のドット９５ａの明暗をモニタし、真ん中の受光器７２ｂは真ん中のドット９５ｂの明暗をモニタし、一番右の受光器７２ｃは一番右のドット９５ｃの明暗をモニタする。そして、試料容器９１の移動に伴い、光照射領域及びモニタの領域が次の行に順次シフトし、最後の行の各ドット９５について光照射と受光（明暗のモニタ）が行われると読み取りが終了である。
【００７４】
各受光器７１の出力を二値化素子７３がデジタル信号にすると、図１０に示すように９つの“０”“１”の信号（９ビットの信号）が得られる。この９ビットの情報について、予めフォーマットを定めて検査液情報をコード化するようにしておけば、デコードによって検査液情報の取得が可能となる。尚、発光器７１については、ＬＥＤランプを並べて構成すれば良く、受光器７２ａ〜７３ｃについては、複数の受光素子をパッケージ化したもの（例えば浜松ホトニクス（株）製のＳ８６６５シリーズ）を用いることができる。
【００７５】
この実施形態では、構造の複雑化を避けるため、９つのドット９５から成るシンプルな二次元コードを液情報コード９３として採用したが、ＱＲコードのようなより複雑な二次元コードを液情報コード部とすることもできる。この場合も、装着のための試料容器９１の移動を利用して光照射と受光の走査をするようにすれば、コードリーダの構造は大がかりにならず、携帯型の蛍光光度計として適したものとなる。例えば、ＱＲコードの幅よりも少し長い細長の光照射領域としておき、試料容器９１の移動に伴ってこれが垂直方向に移動する（走査される）構成が考えられる。
【００７６】
尚、各実施形態の蛍光光度計は、携帯型であるので、実験室や測定室といった限られた場所での測定だけではなく、他の様々な場所で蛍光測定を行ったり、試料が採取されるその現場で蛍光測定を行って迅速に結果を得たりすることができる。
各実施形態の蛍光光度計は、前述した禁止薬物の取締や犯罪捜査の用途の他、各種プラントにおけるプロセス監視、水質検査のような環境調査、新薬の研究開発、各種疾病の臨床診断、さらには各種食品や化学品の検査などの目的で使用することができる。このような調査や、研究開発、各種検査などの現場でも、試料を採取する現場で蛍光を測定して迅速に同定や定量すべき場合が多々あり、実施形態の蛍光光度計は利用価値は極めて高い。
【００７７】
また、各実施形態の蛍光光度計において、光学系２は励起光を集光した状態にしてセル部９１２に入射させたが、平行光にして入射させる光学系２が採用されることもある。また、光源１からの励起光の広がりが小さい場合には、そのままセル部９１２に入射させる場合もある。また、光源１としてはレーザー発振器が使用されることもあり、紫外線が励起光として使用されることもある。
【００７８】
尚、上記各実施形態において、液情報コード部９３は白黒のパターンで形成されたものであったが、金属やメッキ等で高反射の部分をパターン化して形成することで液情報コード部とすることもあり得る。
また、メモリ６２に記憶されるテーブルや各測定プログラムについては、定期的に更新される場合もあり得る。例えば、検査液が開発されて新しく同定又は定量が行えるようになった目的物質について、テーブルの情報を更新したり、測定プログラムを追加してインストールしたりすることがあり得る。
【符号の説明】
【００７９】
１  光源
２  光学系
３  検出器
４  容器装着部
４０  挿入孔
４１  直線状部
５  ケーシング
５２  表示部
６  制御部
７  コードリーダ
７１  発光器
７２  受光器
９１  試料容器
９１２  セル部
９１３  平坦面部
９２  検査液
９３  液情報コード部
【図１】
2014071084.tif 000003
【図２】
2014071084.tif 000004
【図３】
2014071084.tif 000005
【図４】
2014071084.tif 000006
【図５】
2014071084.tif 000007
【図６】
2014071084.tif 000008
【図７】
2014071084.tif 000009
【図８】
2014071084.tif 000010
【図９】
2014071084.tif 000011
【図１０】
2014071084.tif 000012